(57)【要約】【課題】各種ハードウエア、ソフトウエアの準備をする必要がなく、シリアル機器、マイク、スピーカー、モニター、カメラ等の接続と、ネット接続とをするだけで、簡単にＰ２Ｐでマルチメディア通信を行える通信アダプタ装置を提供する。【解決手段】マルチメディアデータを、インターネットを介してＰ２Ｐ双方向通信を行うため接続地点に配置される通信アダプタ装置１００である。通信データ入出力部１１０と、マルチメディアデータの入出力端子及びシリアル機器を接続するシリアル接続端子を備えたマルチメディアデータ入出力部１２０と、通信プログラムを実行してインターネットを介してＰ２Ｐの双方向通信を行う通信制御部１３０と、通信設定を行うためのスイッチ部及び表示部を含む設定インターフェース部１４０と、各部をまとめて収納する一つの筐体３００とを備える。【選択図】図２
2018098605.tif 000002
【特許請求の範囲】
【請求項１】
マルチメディアデータを、インターネットを介してＰ２Ｐ（Ｐｅｅｒ  ｔｏ  Ｐｅｅｒ）の双方向通信を行うために接続地点に配置される通信アダプタ装置であって、
通信用の接続端子を備えた通信データ入出力部と、
音声データ、映像データを含むマルチメディアデータの入出力端子及びシリアル機器を接続するシリアル接続端子を備えたマルチメディアデータ入出力部と、
通信プログラムを実行してインターネットを介してＰ２Ｐの双方向通信を行う通信制御部と、
通信設定を行うためのスイッチ部及び表示部を含む設定インターフェース部と、
前記通信データ入出力部、マルチメディアデータ入出力部、通信制御部、及び前記設定インターフェース部をまとめて収納する一つの筐体と、
を備えることを特徴とする通信アダプタ装置。
【請求項２】
前記通信制御部は、ＷｅｂＲＴＣ（Ｗｅｂ  Ｒｅａｌ−Ｔｉｍｅ  Ｃｏｍｍｕｎｉｃａｔｉｏｎ）による通信を行うことを特徴とする請求項１に記載の通信アダプタ装置。
【請求項３】
前記マルチメディアデータ入出力部には、ＵＳＢポート、アナログ入力ポート、アナログ出力ポート、シリアルポート、及び画像データ出力ポートのうち少なくとも一つのポートが配置されていることを特徴とする請求項１又は請求項２に記載の通信アダプタ装置。
【請求項４】
前記設定インターフェース部は、ロータリースイッチ、トグルスイッチ、及びプッシュスイッチを含むスイッチを備えることを特徴とする請求項１から請求項３までの何れか一項に記載の通信アダプタ装置。
【請求項５】
前記ロータリースイッチは、接続グループＩＤの設定、端末ＩＤの設定、及び送信パケット回数の設定を行うものであり、他のスイッチにより前記ロータリースイッチの操作により設定する項目を変更することを特徴とする請求項４に記載の通信アダプタ装置。
【請求項６】
前記設定インターフェース部には、インターネットの接続確認及びＩＤ情報を確認するテストスイッチを含むことを特徴とする請求項４又は請求項５に記載の通信アダプタ装置。
【請求項７】
前記設定インターフェース部には、接続を実行させ、接続を待機状態とする接続待機設定スイッチを含むことを特徴とする請求項４から請求項６までの何れか一項に記載の通信アダプタ装置。
【請求項８】
前記表示部は、前記設定インターフェース部による自装置の設定状態及びインターネットでの通信状態を表示することを特徴とする請求項１から請求項７までの何れか一項に記載の通信アダプタ装置。
【発明の詳細な説明】
【技術分野】
【０００１】
本発明は、マルチメディアデータをインターネット経由で双方向通信を行うため接続地点に配置される通信アダプタ装置に関する。
【背景技術】
【０００２】
従来、マルチメディアデータ、即ち音声、画像、その他のデータを、インターネットを介して、端末間でＰ２Ｐ（ピアツーピア：Peer to Peer）通信する技術が提供されている。
【０００３】
特許文献１には、通信アダプタ装置と、他の通信アダプタ装置を備える通信システムにおける前記通信アダプタ装置において、Ｗｅｂブラウザを有し、当該Ｗｅｂブラウザを用いて前記他の通信アダプタ装置との間でトンネル接続を行うトンネル接続手段と、受信したパケットを前記トンネル接続手段により送受信される形式のデータに変換し、当該データを前記トンネル接続手段に渡すデータ変換手段と、を備えるものが記載されている。
【先行技術文献】
【特許文献】
【０００４】
【特許文献１】特開２０１５−１１８４７８号公報
【発明の概要】
【発明が解決しようとする課題】
【０００５】
しかし、このような通信アダプタ装置にあっては、データ通信を開始するのに手間がかかるという問題がある。即ち従来の通信アダプタ装置にあっては、ユーザは、インターネットに接続可能なコンピュータを準備すると共に、このコンピュータに通信用ハードウエアを増設する他、通信プログラムやシリアル機器接続プログラムの各種プログラムをインストールして各種設定を行う必要がある。
【０００６】
本発明は上述した課題に鑑みなされたものであり、各種ハードウエア、ソフトウエアの準備をする必要がなく、シリアル機器、マイク、スピーカー、モニター、カメラ等の接続と、ネット接続とをするだけで、簡単にＰ２Ｐでマルチメディア通信を行える通信アダプタ装置を提供することを目的とする。
【課題を解決するための手段】
【０００７】
前記課題を解決する請求項１に記載の発明は、マルチメディアデータを、インターネットを介してＰ２Ｐ（ＰｅｅｒｔｏＰｅｅｒ）の双方向通信を行うために接続地点に配置される通信アダプタ装置であって、通信用の接続端子を備えた通信データ入出力部と、音声データ、映像データを含むマルチメディアデータの入出力端子及びシリアル機器を接続するシリアル接続端子を備えたマルチメディアデータ入出力部と、通信プログラムを実行してインターネットを介してＰ２Ｐの双方向通信を行う通信制御部と、通信設定を行うためのスイッチ部及び表示部を含む設定インターフェース部と、前記通信データ入出力部、マルチメディアデータ入出力部、通信制御部、及び前記設定インターフェース部をまとめて収納する一つの筐体と、を備えることを特徴とする通信アダプタ装置である。
本発明によれば、通信アダプタ装置は、通信データ入出力部、マルチメディアデータ入出力部と、通信制御部、及び設定インターフェース部が一つの筐体に収納されており、インターネットへの接続に際しては、各種入出力装置に入出力装置を接続し、インターネットに接続し、表示部を確認しつつハードウエアスイッチ部を操作するだけで、Ｐ２Ｐ双方向通信を行うことができる。
よって、各種ハードウエア、ソフトウエアの準備をする必要がなく、シリアル機器、マイク、スピーカー、モニター、カメラ等の接続と、ネット接続とをするだけで、簡単にＰ２Ｐでマルチメディア通信を行うことができる。
【０００８】
同じく請求項２に記載の発明において、前記通信制御部は、ＷｅｂＲＴＣ（ＷｅｂＲｅａｌ−ＴｉｍｅＣｏｍｍｕｎｉｃａｔｉｏｎ）による通信を行うことを特徴とする。
本発明によれば、オープンソース化されたＷｅｂＲＴＣを使用することにより、ブラウザを使用してリアルタイムで大量のデータを高速に通信することができる。
よって、マルチメディア通信を円滑に行うことができる。
【０００９】
同じく請求項３に記載の発明において、前記マルチメディアデータ入出力部には、ＵＳＢポート、アナログ入力ポート、アナログ出力ポート、シリアルポート、及び画像データ出力ポートのうち少なくとも一つのポートが配置されていることを特徴とする。
本発明によれば、マルチメディアデータ入出力部には各種入出力ポートが配置される。
よって、通信アダプタ装置に入力デバイス及び出力デバイスを簡単に取付けることができる。
【００１０】
同じく請求項４に記載の発明において、前記設定インターフェース部は、ロータリースイッチ、トグルスイッチ、及びプッシュスイッチを含むスイッチを備えることを特徴とする。
本発明によれば、設定インターフェース部には、各種スイッチが配置され、装置の設定、調整等はスイッチの操作で行われる。
よって、通信アダプタ装置の設定、調整等の操作をキーボード、マウス等を使用することなくスイッチの直感的な操作で行うことができる。
【００１１】
同じく請求項５に記載の発明において、前記ロータリースイッチは、接続グループＩＤの設定、端末ＩＤの設定、及び送信パケット回数の設定を行うものであり、他のスイッチにより前記ロータリースイッチの操作により設定する項目を変更することを特徴とする。
本発明によれば、ロータリースイッチにより各種の設定が行える他、ロータリースイッチによる設定項目は他のスイッチによって選択することができる。
よって、ロータリースイッチの数を増加することなく各種の設定を行うことができる。
【００１２】
同じく請求項６に記載の発明において、前記設定インターフェース部には、インターネットの接続確認及びＩＤ情報を確認するテストスイッチを含むことを特徴とする。
本発明によれば、テストスイッチの操作でインターネットの接続確認及びＩＤ情報を確認することができる。
よって、簡単な操作で、インターネットの接続確認及びＩＤ情報の確認をすることができる。
【００１３】
同じく請求項７に記載の発明において、前記設定インターフェース部には、接続を実行させ、接続を待機状態とする接続待機設定スイッチを含むことを特徴とする。
本発明によれば、接続待機設定スイッチの操作で、接続の実行、待機を指定することができる。
よって、簡単な操作で接続の実行、待機を行うことができる。
【００１４】
同じく請求項８に記載の発明において、前記表示部は、前記設定インターフェース部による自装置の設定状態及びインターネットでの通信状態を表示することを特徴とする。
本発明によれば、ハードスイッチ部による設定状態及び通信状態が表示部に表示される。
よって、表示部を確認するだけで設定インターフェース部の操作による設定状態及び通信状態を確認することができる。
【発明の効果】
【００１５】
本発明によれば、各種ハードウエア、ソフトウエアの準備をする必要がなく、シリアル機器、マイク、スピーカー等の接続と、ネット接続とをするだけで、簡単にＰ２Ｐでマルチメディア通信を行うことができる。
【００１６】
即ち、請求項１に記載の通信アダプタ装置によれば、通信データ入出力部、マルチメディアデータ入出力部と、通信制御部、及び設定インターフェース部が一つの筐体に収納されており、インターネットへの接続に際しては、各種入出力装置に入出力装置を接続し、インターネットに接続し、表示部を確認しつつハードウエアスイッチ部を操作するだけで、Ｐ２Ｐ双方向通信を行うことができるので、各種ハードウエア、ソフトウエアの準備をする必要がなく、シリアル機器、マイク、スピーカー、モニター、カメラ等の接続と、ネット接続とをするだけで、簡単にＰ２Ｐでマルチメディア通信を行うことができる。
【００１７】
また、請求項２に記載の通信アダプタ装置によれば、オープンソース化されたＷｅｂＲＴＣを使用することにより、ブラウザを使用してリアルタイムで大量のデータを高速に通信することができ、マルチメディア通信を円滑に行うことができる。
【００１８】
また、請求項３に記載の通信アダプタ装置によれば、マルチメディアデータ入出力部には各種入出力ポートが配置されるので、通信アダプタ装置に入力デバイス及び出力デバイスを簡単に取付けることができる。
【００１９】
また、請求項４に記載の通信アダプタ装置によれば、設定インターフェース部には、各種スイッチが配置され、装置の設定、調整等はスイッチの操作で行われるので、通信アダプタ装置の設定、調整等の操作をキーボード、マウス等を使用することなくスイッチの直感的な操作で行うことができる。
【００２０】
また、請求項５に記載の通信アダプタ装置によれば、ロータリースイッチにより各種の設定が行える他、ロータリースイッチによる設定項目は他のスイッチによって選択することができるので、ロータリースイッチの数を増加することなく各種の設定を行うことができる。
【００２１】
また、請求項６に記載の通信アダプタ装置によれば、テストスイッチの操作でインターネットの接続確認及びＩＤ情報を確認することができるので、簡単な操作で、インターネットの接続確認及びＩＤ情報の確認をすることができる。
【００２２】
また、請求項７に記載の通信アダプタ装置によれば、接続待機設定スイッチの操作で、接続の実行、待機を指定することができるので、簡単な操作で接続の実行、待機を行うことができる。
【００２３】
そして、請求項８に記載の通信アダプタ装置によれば、ハードスイッチ部による設定状態及び通信状態が表示部に表示されるので、表示部を確認するだけで設定インターフェース部の操作による設定状態及び通信状態を確認することができる。
【図面の簡単な説明】
【００２４】
【図１】本発明に係る通信アダプタ装置を使用したＰ２Ｐ通信の状態を示す模式図である。
【図２】同通信アダプタ装置の構成を示すブロック図である。
【図３】同通信アダプタ装置の操作パネルを示す模式図である。
【図４】同通信アダプタ装置の背面パネルを示す模式図である。
【図５】同通信アダプタ装置の使用手順を示すフローチャートである。
【発明を実施するための形態】
【００２５】
本発明を実施するための形態に係る通信アダプタ装置について説明する。図１は本発明に係る通信アダプタ装置を使用したＰ２Ｐ通信の状態を示す模式図である。
【００２６】
図１に示す例では、２つの接続地点Ａ、地点Ｂ間においてＰ２Ｐのマルチメディア双方向通信を行う。各地点Ａ、Ｂには、インターネット１０に２つの通信アダプタ装置１００（１００Ａ、１００Ｂ）が接続されており、通信アダプタ装置１００Ａと通信アダプタ装置１００Ｂとの間でＰ２Ｐによるマルチメディアデータの双方向通信を行う。なお、通信アダプタ装置１００Ａと、通信アダプタ装置１００Ｂとを区別せずに説明するとき通信アダプタ装置１００として説明する。
【００２７】
また、インターネット１０には、ＷｅｂＲＴＣサーバー２０が接続されている。ＷｅｂＲＴＣは、リアルタイムコミュニケーション用のＡＰＩ（Application Programming Interface）の定義であり、プラグインを使用することなくウェブブラウザ間でマルチメディア通信、例えばボイスチャット、ビデオチャット、ファイル共有ができる。ＷｅｂＴＲＣは公知技術あり、Ｇｏｏｇｌｅ（登録商標）社によりオープンソース化されている。
【００２８】
２つの通信アダプタ装置１００Ａ、１００Ｂは、ＷｅｂＲＴＣサーバー２０によりＳＤＰ（Session Description Protocol）を交換して双方向通信を確立する。ＷｅｂＲＴＣサーバー２０は、一方の通信アダプタ装置１００（例えば通信アダプタ装置１００Ａ）の接続元ブラウザから受け取った要求を接続したい通信アダプタ装置１００（例えば通信アダプタ装置１００Ｂ）のブラウザへ受け流し、両者間でＳＤＰの交換を実現する。
【００２９】
通信アダプタ装置１００で通信されるデータとしては、音声データ、映像データ、シリアルデータがある。これにより、通信アダプタ装置１００Ａ、１００Ｂの間でテレビ電話の通信や、一方の例えば１００Ｂ側にシリアル接続されたロボットを通信アダプタ装置１００Ａにシリアル接続されたコントローラで遠隔操作することができる。
【００３０】
図１に示すように、通信アダプタ装置１００には、Ｗｅｂカメラ２１０、マイク２２０、アンプ、スピーカー、ヘッドフォン（以下ヘッドフォン２３０）、ディスプレイ２４０、シリアル機器２５０が接続されている。
【００３１】
次に通信アダプタ装置１００の構成について説明する。図２は同通信アダプタ装置の構成を示すブロック図である。通信アダプタ装置１００は、通信データ入出力部１１０と、マルチメディアデータ入出力部１２０と、通信制御部１３０と、設定インターフェース部１４０と、通信アダプタ装置外部制御Ｉ／Ｏ１６０と、設定用Ｗｅｂインターフェース部１７０とを備えている。
【００３２】
通信アダプタ装置１００は、ＣＰＵ(Central Processing Unit)、主記憶装置としてのＲＡＭ（RandomAccess Memory）及びＲＯＭ（Read Only Memory）、補助記憶装置としてのＨＤＤ（ハードディスクドライブ）又はＳＳＤ（solid state drive）、入出力インターフェースを備えたコンピュータとして構成される、通信アダプタ装置１００では、ＣＰＵが制御プログラム、通信プログラム、データ変換プログラムを実行して各種処理を行う。
【００３３】
本実施形態では、通信アダプタ装置１００は、一つの筐体３００に各種機能部を収納した一台の装置として構成される。インターネットに接続した筐体３００の端子に上述したＷｅｂカメラ２１０、マイク２２０、ヘッドフォン２３０、ディスプレイ２４０、シリアル機器２５０を接続し、設定インターフェース部１４０の後述する各種スイッチを操作してＷｅｂＴＲＣによる双方向通信を行うことができる。
【００３４】
通信データ入出力部１１０には、インターネット接続用の各種機器、例えばＥｔｈｅｒＮｅｔ、ＵＳＢ接続された各種ルーター、Ｗｉｆｉ接続機器が接続され、インターネットに物理的に接続する。
【００３５】
マルチメディアデータ入出力部１２０は、マルチメディアデータの入出力端子及びシリアル機器を接続するシリアル接続端子として、音声入力部１２１、音声出力部１２２、映像入力部１２３、映像出力部１２４、シリアル通信入出力部１２５を備える。音声入力部１２１にはマイク２２０が、音声出力部１２２にはヘッドフォン２３０が、映像入力部１２３にはＷｅｂカメラ２１０が、映像出力部１２４にはディスプレイ２４０が、シリアル通信入出力部１２５にはシリアル機器であるロボット、コントローラ等の各種機器が接続される。
【００３６】
通信制御部１３０は、ＷｅｂＲＴＣプログラム１３１と、設定入力処理プログラム１３４とを備える。ＷｅｂＲＴＣプログラム１３１は、通信プログラム１３２と映像／音声変換プログラム１３３とを含む。ＷｅｂＲＴＣプログラム１３１はＷｅｂＴＲＣ通信のプロトコルや各種データを送受信する処理を行う。映像／音声変換プログラム１３３は、マルチメディアデータ入出力部１２０からの映像データや音声データをＷｅｂＴＲＣでの通信ができる形式に変換する。
【００３７】
設定入力処理プログラム１３４は、設定インターフェース部１４０、通信アダプタ装置外部制御Ｉ／Ｏ１６０、設定用Ｗｅｂインターフェース部１７０からの設定入力信号に基づいて通信制御部１３０の各種プログラムの設定を変更する。
【００３８】
設定インターフェース部１４０は、ロータリースイッチ１４１、トグルスイッチ１４２、プッシュスイッチ１４３等の各種の物理スイッチと、表示部であるモニター部１５０を備える。これらは、筐体３００に配置される。ロータリースイッチ１４１は、ＷｅｂＴＲＣ通信における接続グループＩＤの設定、端末ＩＤの設定、及び送信パケット回数の設定を行う。このロータリースイッチ１４１の設定項目は例えばプッシュスイッチ１４３により変更できる。これらのロータリースイッチ１４１、トグルスイッチ１４２、プッシュスイッチ１４３からの切り換え信号は、設定入力処理プログラム１３４により処理され、通信制御部１３０の各種設定及びインターネットへの接続・切断処理を行う。
【００３９】
モニター部１５０は、液晶表示装置であり、ロータリースイッチ１４１、プッシュスイッチ１４３で設定した自装置の設定状態及びインターネットでの通信状態を表示する。モニター部１５０の表示制御は設定入力処理プログラム１３４が実行する。
【００４０】
通信アダプタ装置外部制御Ｉ／Ｏ１６０には外部装置、例えば通信アダプタ装置１００にＵＳＢ接続されたノート型コンピュータからの起動制御信号を通信制御部１３０に伝達する。更に設定用Ｗｅｂインターフェース部１７０は、Ｗｅｂインターフェース１７１を備える。Ｗｅｂインターフェース１７１は、外部装置、例えばスマートフォン、タブレット型コンピュータ等で表示したウェブブラウザ画面からユーザがアクセスして、通信制御部１３０の設定を行う処理を行う。
【００４１】
次に筐体３００の操作パネル３００Ａについて説明する。図３は同通信アダプタ装置の操作パネルを示す模式図である。操作パネル３００Ａには、ロータリースイッチ１４１で構成される設定スイッチ３１０、プッシュスイッチ１４３で構成されるモード選択スイッチ３２０、テストスイッチ３３０、接続待機設定スイッチであるスタート／ストップスイッチ３４０、及びモニター部１５０が配置されている。
【００４２】
設定スイッチ３１０は、つまみを回すことにより、各種設定値を変更することができる。設定項目としては、接続グループＩＤの設定、端末ＩＤの設定、及び送信パケット回数を選択できる。この選択はモード選択スイッチ３２０を押下することにより選択する。
【００４３】
テストスイッチ３３０はインターネットの接続確認及びＩＤ情報を確認するときに押下する。ストップスイッチ３４０は、押下することによりインターネットへの接続を実行する、或いは、接続を待機状態とする。
【００４４】
モニター部１５０には、グループＩＤ表示１５１、端末ＩＤ表示１５２、フレームレートを示すＦＰＳ表示１５３、受信確認を示すＡＣＫ表示１５４、送信パケット回数の表示１５５、通信開始表示１５６、テスト通信表示１５７等が数値や文字表示される。ユーザは、操作パネル３００Ａに設置され設定スイッチ３１０、モード選択スイッチ３２０、テストスイッチ３３０、スタート／ストップスイッチ３４０を、モニター部１５０を視認しつつ操作することにより、通信アダプタ装置１００の設定を変更できる。
【００４５】
次に筐体３００の裏面パネル３００Ｂについて説明する。図４は同通信アダプタ装置の背面パネルを示す模式図である。裏面パネル３００Ｂには、４つのＵＳＢポート３５０、映像入出力コネクタ３６０、シリアルポート３７０、画像データ出力ポートである映像出力コネクタ３８０、通信用の接続端子であるＬＡＮポート３９０、電源ケーブルコネクタ４００が配置されている。
【００４６】
ＵＳＢポート３５０には、Ｗｅｂカメラ２１０、ＵＳＢ接続のマイク２２０、ヘッドフォン２３０、ノート型コンピュータ、その他の機器が接続される。映像入出力コネクタ３６０には、アナログ出力のカメラ、マイク２２０、ヘッドフォン２３０、モニター等が接続される。シリアルポート３７０は、例えばＲＳ２３２Ｃ、ＲＳ４８５規格の端子であり、シリアル接続されるロボット、ロボットのコントラー等が接続される。ＬＡＮポート３９０には、ＬＡＮケーブル端子が接続される。電源ケーブルコネクタ４００には、電源からのケーブルが接続され、通信アダプタ装置１００に電力が供給される。
【００４７】
以上の通信アダプタ装置１００を使用して双方向通信を行う手順について説明する。図５は同通信アダプタ装置の使用手順を示すフローチャートである。図１に示す状態、即ち通信アダプタ装置１００Ａ、通信アダプタ装置１００Ｂをインターネット１０に接続してＷｅｂＴＲＣによる双方向通信を行う。
【００４８】
通信アダプタ装置１００Ａ、通信アダプタ装置１００Ｂがインターネット１０に接続された状態で、マイク２２０、スピーカーを接続したアンプやヘッドフォン２３０、Ｗｅｂカメラ２１０、ディスプレイ２４０、シリアル機器２５０を接続する（ステップＳ１）。これらは、裏面パネル３００Ｂの各ポートに接続される。
【００４９】
次いで、通信アダプタ装置１００Ａ、１００Ｂにおいて、個体識別用のＩＤ、通信機器の通信速度、接続対象の通信アダプタ装置のＩＤを設定する（ステップＳ２）。これらは、操作パネル３００Ａの設定スイッチ３１０、モード選択スイッチ３２０等の操作により行う。なお、この操作は、設定用Ｗｅｂインターフェース部１７０を介して外部のスマートフォン、タブレット型コンピュータ等のＷｅｂブラウザ上で行うことができる。これにより、配線操作及び初期設定が終了する。
【００５０】
通信に際しては、通信アダプタ装置１００Ａ、１００Ｂの一方からから通信開始ボタン（もしくは外部制御Ｉ／Ｏ）により通信を開始する。即ち、通信アダプタ装置１００Ａ、１００Ｂのどちらかからスタート／ストップスイッチ３４０を操作通信して開始する（ステップＳ３）。この操作が外部装置から通信アダプタ装置外部制御Ｉ／Ｏ１６０を介して行うことができる。
【００５１】
これにより通信アダプタ装置１００Ａ、通信アダプタ装置１００Ｂはインターネット１０を介してＷｅｂＴＲＣで接続される（ステップＳ４）。そして、通信を終了するときには、通信アダプタ装置１００Ａ、１００Ｂのどちらかからスタート／ストップスイッチ３４０を操作して通信を終了する（ステップＳ５）。
【００５２】
以上のように、本発明の実施形態に係る通信アダプタ装置１００によれば、各種ハードウエア、ソフトウエアの準備をする必要がなく、シリアル機器、マイク、スピーカー、モニター、カメラ等の接続と、ネット接続とをするだけで、簡単にＰ２Ｐでマルチメディア通信を行うことができる。
【産業上の利用可能性】
【００５３】
本発明に係る通信アダプタ装置は、各種ハードウエア、ソフトウエアの準備をする必要がなく、シリアル機器、マイク、スピーカー、モニター、カメラ等の接続と、ネット接続とをするだけで、簡単にＰ２Ｐでマルチメディア通信を行えるので、産業上の利用可能性がある。
【符号の説明】
【００５４】
１０：インターネット
２０：ＷｅｂＲＴＣサーバー
１００：通信アダプタ装置
１００Ａ、１００Ｂ：通信アダプタ装置
１１０：通信データ入出力部
１２０：マルチメディアデータ入出力部
１２１：音声入力部
１２２：音声出力部
１２３：映像入力部
１２４：映像出力部
１２５：シリアル通信入出力部
１３０：通信制御部
１３１：ＷｅｂＲＴＣプログラム
１３２：通信プログラム
１３３：音声変換プログラム
１３４：設定入力処理プログラム
１４０：設定インターフェース
１４１：ロータリースイッチ
１４２：トグルスイッチ
１４３：ボタンスイッチ
１５０：モニター部
１５１：グループＩＤ表示
１５２：端末ＩＤ表示
１５３：ＦＰＳ表示
１５４：ＡＣＫ表示
１５５：表示
１５６：通信開始表示
１５７：テスト通信表示
１６０：通信アダプタ装置外部制御Ｉ／Ｏ
１７０：設定用Ｗｅｂインターフェース部
１７１：Ｗｅｂインターフェース
２１０：Ｗｅｂカメラ
２１０、ＵＳＢ：Ｗｅｂカメラ
２２０：マイク
２３０：ヘッドフォン
２４０：ディスプレイ
２５０：シリアル機器
３００：筐体
３００Ａ：操作パネル
３００Ｂ：裏面パネル
３１０：設定スイッチ
３２０：モード選択スイッチ
３３０：テストスイッチ
３４０：ストップスイッチ
３５０：ＵＳＢポート
３６０：映像入出力コネクタ
３７０：シリアルポート
３８０：映像出力コネクタ
３９０：ＬＡＮポート
４００：電源ケーブルコネクタ
【図１】
2018098605.tif 000003
【図２】
2018098605.tif 000004
【図３】
2018098605.tif 000005
【図４】
2018098605.tif 000006
【図５】
2018098605.tif 000007